(57)【要約】【課題】脇腹へのフィット性が高く、窮屈さや痛みを感じさせない背負いベルトの小紐、その小紐と大紐とを接続してなる背負いベルト、およびその背負いベルトを取り付けた背負い鞄の提供。【解決手段】所要の幅および長さを有する基端側半部５，５の軸線とその長手方向一側に連設した所要の幅および長さを有する遊端側半部６，６の軸線とが所要の角度をなす、湾曲した帯状の小紐本体Ａ′の基端に、取付け金具７を取り付けるとともに、その遊端に尾錠８を取り付けてなる小紐Ａ。その小紐Ａの遊端に、大紐Ｃの遊端を、上記尾錠８により接続してなる背負いベルトＤ。その背負いベルトＤ，Ｄを取り付けたランドセル等の背負い鞄Ｅ。【選択図】  図４
2005040437.tif 000002
【特許請求の範囲】
【請求項１】
所要の幅および長さを有する基端側半部の軸線と、その長手方向一側に連設した同じく所要の幅および長さを有する遊端側半部の軸線とが所要の角度をなす、湾曲した帯状の小紐本体の基端に、取付け金具を取り付けるとともに、遊端に尾錠を取り付けてなることを特徴とする背負いベルトの小紐。
【請求項２】
上記基端側半部が、幅約３ｃｍ，長さ約６〜８ｃｍ、上記遊端側半部が、幅約３ｃｍ，長さ約１３〜１６ｃｍ、それら基端側半部と遊端側半部の軸線のなす角度が約３０°〜６０°であることを特徴とする請求項１記載の背負いベルトの小紐。
【請求項３】
請求項１または２記載の小紐の遊端に、大紐の遊端を、上記尾錠により接続してなることを特徴とする背負いベルト。
【請求項４】
請求項３記載の背負いベルトの小紐の基端を鞄主体部の下面に、該小紐の身体に当接する面を上に向け水平にして基端側半部を鞄主体部の前方に向けたときに、遊端側半部が左右外方を向いて基端側半部よりも拡開した状態となるようにして取り付けるとともに、大紐の基端を上記鞄主体部の背護板の上部に取り付けてなることを特徴とするランドセル等の背負い鞄。
【請求項５】
所要の幅および長さを有する下端取付け部の長手方向一側に、同じく所要の幅および長さを有する脇腹当接部を、それらの軸線が所要の角度をなす状態にして連設した、湾曲した帯状の下半部と、その下半部の上方に連設した上半部からなることを特徴とする背負いベルト。
【請求項６】
鞄主体部の上下部に背負いベルトの上下端を取り付けてなるランドセル等の背負い鞄において、一対の請求項５記載の背負いベルトを鞄主体部に、下端取付け部を鞄主体部の前方に向けたときに、脇腹当接部が上記下端取付け部よりも拡開した状態となるようにして取り付けてなることを特徴とするランドセル等の背負い鞄。
【発明の詳細な説明】
【技術分野】
【０００１】
本発明は、背負いベルトの小紐、その小紐に大紐を接続してなる背負いベルト、およびその背負いベルトを取り付けた、ランドセルやリュックサック等の背負い鞄に関する。
【背景技術】
【０００２】
各種背負い鞄に取り付けられる従来の背負いベルトは、たとえば図１０に示したランドセルの背負いベルトのように、所要の幅を有する帯状の大紐１，１と、同じく所要の幅の帯状の小紐２，２とを、その小紐２，２の遊端に取り付けた尾錠により接続してなるものである（たとえば、特許文献１（図１）参照。）。
【特許文献１】登録実用新案第３０８５４４３号公報
【発明の開示】
【発明が解決しようとする課題】
【０００３】
しかし、上記小紐２，２は、脇腹に対して、面で当接せずその内側縁部３，３を食い込ませる状態となり脇腹へのフィット性が不十分で、窮屈であったり、痛みを感じさせることがあった。また、内側縁部３，３で当接していたので、左右方向への振れを十分に抑えることができなかった。
【０００４】
上記大紐１，１に関しては、その基端部を、いわゆる移動背環４によって左右に移動自在にして背護板上部に取り付けることにより肩へのフィット性を改善したものがあるが、この移動背環４によっても、小紐２，２の脇腹に対するフィット性は改善されていなかった。
【０００５】
したがって、実際の使用に際しては、脇腹の窮屈さや痛みを軽減するために、背負いベルトを敢えて長めに調節することが行われていたが、そのようにするとランドセルが浮き上がりやすくなり、却って肩や背中へのフィット性までも損なってしまうこととなっていた。
【０００６】
そこで、本発明は、脇腹へのフィット性が高く、窮屈さや痛みを感じさせない背負いベルトの小紐、その小紐に大紐を接続してなる背負いベルト、およびその背負いベルトを取り付けた背負い鞄を提供することを目的とする。
【課題を解決するための手段】
【０００７】
請求項１記載の本発明背負いベルトの小紐Ａは、所要の幅および長さを有する基端側半部５の軸線と、その長手方向一側に連設した同じく所要の幅および長さを有する遊端側半部６の軸線とが所要の角度をなす、湾曲した帯状の小紐本体Ａ′の基端に、取付け金具７を取り付けるとともに、遊端に尾錠８を取り付けてなる。
【０００８】
請求項２記載の本発明は、上記基端側半部５が、幅約３ｃｍ，長さ約６〜８ｃｍ、上記遊端側半部６が、幅約３ｃｍ，長さ約１３〜１６ｃｍ、それら基端側半部５と遊端側半部６の軸線のなす角度が約３０°〜６０°の請求項１記載の背負いベルトの小紐Ａである。
【０００９】
請求項３記載の本発明背負いベルトＤは、請求項１または２記載の小紐Ａの遊端に、大紐Ｃの遊端を、上記尾錠８により接続してなる。
【００１０】
請求項４記載の本発明ランドセル等の背負い鞄Ｅは、請求項３記載の背負いベルトＤ，Ｄの小紐Ａ，Ａの基端を鞄主体部Ｂの下面に、該小紐Ａ，Ａの身体に当接する面を上に向け水平にして基端側半部５，５を鞄主体部Ｂの前方に向けたときに、遊端側半部６，６が左右外方を向いて基端側半部５，５よりも拡開した状態となるようにして取り付けるとともに、大紐Ｃ，Ｃの基端を上記鞄主体部Ｂの背護板１５の上部に取り付けてなる。
【００１１】
請求項５記載の本発明背負いベルトＤ′は、所要の幅および長さを有する下端取付け部１７ａの長手方向一側に、同じく所要の幅および長さを有する脇腹当接部１７ｂを、それらの軸線が所要の角度をなす状態にして連設した、湾曲した帯状の下半部１７と、その下半部１７の上方に連設した上半部１８からなるものである。
【００１２】
請求項６記載の本発明ランドセル等の背負い鞄は、鞄主体部の上下部に背負いベルトの上下端を取り付けてなるランドセル等の背負い鞄において、一対の請求項５記載の背負いベルトＤ′，Ｄ′を鞄主体部１９に、下端取付け部１７ａ，１７ａを鞄主体部１９の前方に向けたときに、脇腹当接部１７ｂ，１７ｂが上記下端取付け部１７ａ，１７ａよりも拡開した状態となるようにして取り付けてなる。
【発明の効果】
【００１３】
本発明によれば、脇腹に窮屈さや痛みを感じさせない。また、背負い鞄の左右方向の振れを確実に抑えることができる。
【発明を実施するための最良の形態】
【００１４】
以下には、本発明を実施例により説明するが、本発明はこれに限定されるものではない。
【実施例】
【００１５】
図１〜８は、本発明をランドセルＥに適用した一実施例を示すものである。
【００１６】
Ａ，Ａは左右一対の小紐で、それは所要の幅および長さを有する基端側半部５，５の軸線とその長手方向一側に連設した同じく所要の幅および長さを有する遊端側半部６，６の軸線とが所要の角度をなす、湾曲した帯状の小紐本体Ａ′，Ａ′と、その小紐本体Ａ′，Ａ′の基端を折り返してそこに取付けた取り付け金具７，７と、上記小紐本体Ａ′，Ａ′の遊端を折り返してそこに取り付けた尾錠８，８と、上記遊端側半部６，６に嵌挿した環状の大紐保持部材９…と、裏面側に重合添設した保護カバー１０，１０とからなるものである。
なお、１１…は、上記基端と遊端の折り返し部分を固定し、また保護カバー１０，１０を取り付けているビスである。
【００１７】
上記小紐Ａ，Ａの基端側半部５，５および遊端側半部６，６の幅ａは約３ｃｍ、基端側半部の長さｂは約７ｃｍ、遊端側半部６，６の長さｃは約１６ｃｍである。また、その基端側半部５，５の軸線と遊端側半部６，６の軸線とがなす角度ｄは約６０°で、左右の小紐Ａ，Ａは、湾曲方向を逆にした互いに対称な形状になっている。
【００１８】
上記小紐本体Ａ′，Ａ′は、合成樹脂を含浸させて圧縮したボール紙等を裁断してなる芯材１２を、該芯材１２よりも一回り大きく裁断した、天然皮革や人工皮革からなる柔軟なカバーシート１３で裏面側から包み込んだものの表面側に、上記芯材１２と略同形同大に裁断した、天然皮革や合成皮革からなる表地１４を重合して適宜箇所を接着，縫合してなるものである。
【００１９】
Ｂは鞄主体部たるランドセル筐体で、その下面には、上記小紐Ａ，Ａが、上記取付け金具７，７により水平旋回および垂直回動自在にして取り付けられているが、その取り付けは、それら小紐Ａ，Ａの裏面（保護カバー１０，１０側）を上に向け水平にし、かつランドセル筐体Ｂの前方（背護板１５の側）に向けたときに、基端側半部５，５の一部および遊端側半部６，６が上記背護板１５よりも前方に位置するとともに、互いの遊端側半部６，６が左右外方を向いて上記基端側半部５，５よりも拡開した状態となるようにして行っている（図４，５）。
【００２０】
Ｃ，Ｃは、基端を上記ランドセル筐体Ｂの背護板１５前面上部の移動背環１６に取り付けた左右一対の大紐で、それらの遊端は、上記小紐Ａ，Ａそれぞれの尾錠８，８によって、該小紐Ａ，Ａの遊端に接続され、これによりその小紐Ａ，Ａとともに左右一対の背負いベルトＤ，Ｄを構成している。
【００２１】
上記背負いベルトＤ，Ｄに両腕を通してランドセルＥを背負うと、ランドセル筐体Ｂは大紐Ｃ，Ｃにより肩に吊り下げられた状態となり、逆に該大紐Ｃ，Ｃの遊端側はランドセル筐体Ｂに対して相対的に引き上げられる。
そして、その大紐Ｃ，Ｃの遊端側が相対的に引き上げられるのに伴い、これに接続されている小紐Ａ，Ａの遊端側は、ランドセル筐体Ｂの下面に取り付けられた該小紐Ａ，Ａの基端に対して相対的に上方に引き上げられる。
【００２２】
このとき、小紐Ａ，Ａの基端側半部５，５が児童の体型に応じて前方ないし左右外方の所要の方向を向くとともに、遊端側半部６，６が引き上げられ、これによって、背護板１５の下縁に上記基端側半部５，５の所要の部位を当接させた状態となる（図６〜８）。
その遊端側半部６，６は、上記基端側半部５，５よりも拡開しているから、左右外方より立ち上がり、左右側方から脇腹を包み込んで面で当接する状態となっている。
また上記基端側半部５，５も、その裏面を脇腹に向ける側にやや捩れた状態となる。
【００２３】
このように、背負いベルトＤ，Ｄの小紐Ａ，Ａは、脇腹に沿って面で当接しフィットするので、ランドセルＥの左右方向の振れを確実に抑えることができ、しかも脇腹に痛みを感じさせることがない。
したがって、従来のように窮屈さ等を軽減するために背負いベルトＤ，Ｄを敢えて長めに調節したりする必要がなく、身体に合った長さに調節すればよい。これにより、ランドセルＥは身体から浮き上がらず、肩や背中へのフィット性も改善される。
【００２４】
なお、上記小紐本体Ａ′，Ａ′の寸法および形状、すなわち基端側半部５，５と遊端側半部６，６の幅，長さ，およびそれらの軸線のなす角度は適宜変更することができ、特に、基端側半部５を、幅約３ｃｍ，長さ約６〜８ｃｍとし、遊端側半部６を、幅約３ｃｍ，長さ約１３〜１６ｃｍとし、それらの軸線のなす角度を約３０°〜６０°とするのが好ましいが、使用者の体型等に応じてこの範囲外のものとすることもできる。
【００２５】
また、背負いベルトが、大紐と小紐の２本を互いに接続してなるものである場合について説明したが、背負いベルトを１本化してもよい。
その場合には、背負いベルトＤ′を、所要の幅および長さを有し、上記小紐Ａの基端側半部５に相当する下端取付け部１７ａの長手方向一側に、同じく所要の幅および長さを有し、上記遊端側半部６に相当する脇腹当接部１７ｂを、それらの軸線が所要の角度をなす状態にして連設した、湾曲した帯状の下半部１７と、その下半部１７の上方に連設した、上記大紐Ｃに相当する上半部１８からなるものとし、しかも左右の各背負いベルトＤ′，Ｄ′の湾曲方向を逆にして互いに対称なものとする。
【００２６】
そして、鞄主体部１９の上下部に、左右一対の上記背負いベルトＤ′，Ｄ′の上下端を、上記下端取付け部１７ａ，１７ａを該鞄主体部１９の前方に向けたときに脇腹当接部１７ｂ，１７ｂが該下端取付け部１７ａ，１７ａよりも拡開した状態となるようにして鞄主体部１９に取り付けることにより（図９）、上記脇腹当接部１７ｂの部分を脇腹に沿って面で当接させることができるものである。
【産業上の利用可能性】
【００２７】
上記ではランドセルを例にとり説明したが、本発明はリュックサック等の他の背負い鞄にも適用できること明らかである。
【図面の簡単な説明】
【００２８】
【図１】本発明の一実施例に係る背負いベルトの左右一対の小紐の平面図である。
【図２】図１のI-I線断面図である。
【図３】図１のII-II線断面図である。
【図４】上記小紐からなる背負いベルトを取り付けたランドセルの斜視図である。
【図５】その側面図である。
【図６】上記ランドセルが背負われた状態の側面図である。
【図７】その平面図である。
【図８】その正面図である。
【図９】背負いベルトを一本化し、その上下端を鞄主体部の上下部に取り付けた状態の斜視図である。
【図１０】従来のランドセルの斜視図である。
【符号の説明】
【００２９】
Ａ    小紐
Ａ′  小紐本体
Ｂ    ランドセル筐体
Ｃ    大紐
Ｄ，Ｄ′    背負いベルト
Ｅ    ランドセル
５    基端側半部
６    遊端側半部
７    取り付け金具
８    尾錠
１５  背護板
１７  下半部
１７ａ  下端取付け部
１７ｂ  脇腹当接部
１８  上半部
１９  鞄主体部
【図１】
2005040437.tif 000003
【図２】
2005040437.tif 000004
【図３】
2005040437.tif 000005
【図４】
2005040437.tif 000006
【図５】
2005040437.tif 000007
【図６】
2005040437.tif 000008
【図７】
2005040437.tif 000009
【図８】
2005040437.tif 000010
【図９】
2005040437.tif 000011
【図１０】
2005040437.tif 000012